(57)【要約】      （修正有）【課題】低コストでありながら１つで様々な形状・サイズのゴミ箱にできるとともに着脱作業が容易なゴミ袋固定ベルトを提供する。【解決手段】ゴミ箱にゴミ袋を内装してゴミ箱開口部から折り返したゴミ袋開口端側をゴミ箱外周面に外側から押さえつけながらベルト本体１０を巻回して装着することでゴミ袋をゴミ箱に固定するゴミ袋固定ベルト１Ａであって、そのベルト本体１０は、ゴミ箱の装着位置外周よりも長い帯状の樹脂シートからなり、その一端側内側面には面状の接着手段である両面接着テープ１１ｃ，１１ｄが設けられており、折り返したゴミ袋開口端側の外周面にその他端側から巻回してベルト本体１０に重なったその一端側を、前記接着手段で内側のベルト本体１０外周面に着脱自在な状態で接着して固定することで、ゴミ箱に装着されるものとした。【選択図】図１
0003206235.tif 000002
【実用新案登録請求の範囲】
【請求項１】
ゴミ箱にゴミ袋を内装して前記ゴミ箱開口部から折り返した前記ゴミ袋開口端側を前記ゴミ箱外周面に外側から押さえつけながらベルト本体を巻回して装着することで前記ゴミ袋を前記ゴミ箱に固定するゴミ袋固定ベルトにおいて、前記ベルト本体は、前記ゴミ箱の装着位置外周よりも長い帯状の樹脂シートからなり、その一端側内側面には面状の接着手段が設けられており、前記折り返した前記ゴミ袋開口端側の外周面にその他端側から巻回して前記ベルト本体に重なった前記一端側を、前記接着手段で内側の前記ベルト本体外周面に着脱自在な状態で接着して固定することで前記ゴミ箱に装着される、ことを特徴とするゴミ袋固定ベルト。
【請求項２】
前記接着手段は、所定長さに切断した両面接着テープの一面側を前記ベルト本体内側面に接着して固定してなるものである、ことを特徴とする請求項１に記載したゴミ袋固定ベルト。
【請求項３】
前記ベルト本体の他端側内側面にも前記両面接着テープによる接着手段が設けられており、該接着手段を前記ゴミ袋の開口端側の外周面又は前記ゴミ箱外周面に対し着脱自在な状態で接着してから巻回を開始するものとされている、ことを特徴とする請求項２に記載したゴミ袋固定ベルト。
【請求項４】
前記ベルト本体を構成する樹脂シートは、発泡樹脂シートであることを特徴とする請求項１，２又は３に記載したゴミ袋固定ベルト。
【請求項５】
先記発泡樹脂シートは発泡ポリエチレンシートである、ことを特徴とする請求項４に記載したゴミ袋固定ベルト。
【請求項６】
前記ベルト本体又は前記ベルト本体表面側に貼付して設けた所定のシートに、芳香剤又は制菌剤又は防臭剤が付加されており、前記ゴミ箱に装着した状態でその外周面から芳香作用又は制菌作用又は防臭作用を発揮する、ことを特徴とする請求項１，２，３，４又は５に記載したゴミ袋固定ベルト。
【考案の詳細な説明】
【技術分野】
【０００１】
本考案は、ゴミ箱にゴミ袋を内装した状態でゴミ箱開口部から折り返したゴミ袋の開口端側を、ゴミ箱外周面に押さえ付けながら固定するように装着されるゴミ袋固定ベルトに関する。
【背景技術】
【０００２】
近年では、スーパーやコンビニで買い物をした際に使用したレジ袋をゴミ箱に内装してゴミ袋として使用するケースが増えている。このようにレジ袋をゴミ袋として使用することで、ゴミ箱内部にゴミ由来の汚れが付着するのを回避できるとともに、ゴミ箱が一杯になった際のゴミ捨て作業が容易化されることに繋がる。
【０００３】
しかし、このようにしてゴミ袋を使用する場合、ゴミ箱開口部から外部に突出したゴミ袋開口端側をゴミ箱開口部でゴミ箱外周面に向かって折り返すのが通常であるが、その折り返した部分が固定されていないことから、ゴミを投入する動作でゴミ袋がずり下がってゴミ袋全体がゴミ箱内に没入してしまうという問題がある。また、ゴミ箱開口部で折り返したゴミ袋開口端側が外部に露出しているとゴミ箱自体の美観を低下させることになり、殊に、全長に対し持ち手の割合が大きなレジ袋の場合、折り返して垂れ下がる部分が大きくなるため、一層見栄えの悪い状態になりやすい。
【０００４】
この問題に対し、図７に示すようにゴミ箱７に内装したゴミ袋９の折り返した端部側を固定するために円環状に形成されたゴム製のゴミ袋固定ベルト１Ｅが、実登第３１２９６９９号公報に提案されており、これを用いることでゴミ袋９をその端部側を見えない状態でゴミ箱７に固定することができ、且つ、図のような円柱状のゴミ箱７に限らず、四角柱等の様々な形状のゴミ箱に使用することが可能となる。
【０００５】
しかし、このゴミ袋固定ベルト１Ｅは、ゴムの弾力により多少の許容範囲はあるものの、最初から円環状に形成されているものであるため、１つで様々なサイズのゴミ箱に対応することができない。また、その装着時には、予めゴミ箱の外周面中程に装着した状態にして、ゴミ袋の折り返した開口端側に被せるようにずらし上げて固定する手間を要するものとなっている。
【０００６】
そこで、特開２０１２−２０１４５７号公報の段落００２７及び図４には、図８に示すようにベルト本体１６を帯状にしてサイズ調整を可能としたゴミ袋固定ベルト１Ｆが提案されている。このゴミ袋固定ベルト１Ｆは、外周方向に伸縮性やゆとりを持たせてあり、図のようなリボン１７ａ，１７ｂやホック１８ａ，１８ｂ又は面状ファスナ等の締結手段を用いながらサイズ調整を行えるものとしてあり、ゴミ箱開口部の様々な形状やサイズに対応可能としている。
【０００７】
しかしながら、斯かる構成を有したゴミ袋固定ベルト１Ｆは、そのベルト本体１６の素材に布を用いることを想定しており、且つ、そのベルト本体１６にリボン１７ａ，１７ｂやホック１８ａ，１８ｂ又は面状ファスナ等の締結手段を設けてサイズ調整可能にするものであるため、その製造には手間とコストを要しやすいという難点がある。
【先行技術文献】
【特許文献】
【０００８】
【特許文献１】実登第３１２９６９９号公報
【特許文献２】特開２０１２−２０１４５７号公報
【考案の概要】
【考案が解決しようとする課題】
【０００９】
本考案は、上記のような問題を解決しようとするものであり、ゴミ箱にゴミ袋を固定するためのゴミ袋固定ベルトについて、低コストでありながら１つで様々な形状・サイズのゴミ箱に対応できるとともに着脱作業の容易なものとすることを課題とする。
【課題を解決するための手段】
【００１０】
そこで、本考案は、ゴミ箱にゴミ袋を内装してゴミ箱開口部から折り返したゴミ袋開口端側をゴミ箱外周面に外側から押さえつけながらベルト本体を巻回して装着することでゴミ袋をゴミ箱に固定するゴミ袋固定ベルトにおいて、そのベルト本体は、ゴミ箱の装着位置外周よりも長い帯状の樹脂シートからなり、その一端側内側面には面状の接着手段が設けられており、前記折り返したゴミ袋開口端側の外周面にその他端側から巻回してベルト本体に重なったその一端側を、前記接着手段で内側のベルト本体外周面に着脱自在な状態で接着して固定することで前記ゴミ箱に装着される、ことを特徴とするものとした。
【００１１】
このように、樹脂シートを帯状に形成してその一端側の内側面に面状の接着手段を設けただけの簡単な構成により、ゴミ箱に装着したゴミ袋の開口端側の外周面に対し帯状に巻回しながらその末端側を着脱自在に接着して固定可能な状態となることから、低コストで作成可能としながら１つでも様々な形状・サイズのゴミ箱に対して対応可能なものとなり、且つ、その着脱作業も接着手段を着脱操作するだけの極めて容易なものとなる。
【００１２】
また、このゴミ袋固定ベルトにおいて、その接着手段は所定長さに切断した両面接着テープの一面側をベルト本体内側面に接着して固定してなるものである、ことを特徴としたものとすれば、製作容易であるとともに着脱作業が極めて容易なものとなる。
【００１３】
この場合、そのベルト本体の他端側内側面にも前記両面接着テープによる接着手段が設けられており、その接着手段を前記ゴミ袋開口端側の外周面又はゴミ箱外周面に対し着脱自在な状態で接着してから巻回を開始するものとされている、ことを特徴としたものとすれば、巻回を開始する端部側及び巻回方向を問わないものとなることに加え、ベルト本体の一部がゴミ袋の一部又はゴミ箱の外周面に接着・係止された状態となるため、その装着作業が容易になるとともに使用時に装着位置がずれにくいものとなる。
【００１４】
さらに、上述したゴミ袋固定ベルトにおいて、そのベルト本体を構成する樹脂シートは、発泡樹脂シートであることを特徴としたものとすれば、弾力性と密着性に優れたものとなり、この場合、その発泡樹脂シートが発泡ポリエチレンシートであることを特徴としたものとすれば、包装材に用いられる低コストのものを用いながらより装着性に優れたものとなる。
【００１５】
さらにまた、上述したゴミ袋固定ベルトにおいて、そのベルト本体又はベルト本体表面側に貼付して設けた所定のシートに、芳香剤又は制菌剤又は防臭剤が付加されており、ゴミ箱に装着した状態でその外周面から芳香作用又は制菌作用又は防臭作用を発揮する、ことを特徴としたものとすれば、ゴミ袋開口端側の固定・遮蔽作用に加えて前記各作用を発揮できるものとなる。
【考案の効果】
【００１６】
帯状の樹脂シート一端側の内側面に面状の接着手段を設けたことで、ゴミ袋の開口端側外周面に巻回しながらその末端側を着脱自在に接着して固定可能とした本考案によると、簡易な構成により低コストでありながら、１つでも様々な形状・サイズのゴミ箱に対応できるとともに着脱作業が容易なものとなる。
【図面の簡単な説明】
【００１７】
【図１】（Ａ）は本考案の実施の形態であるゴミ袋固定ベルトの正面図、（Ｂ）は（Ａ）のゴミ袋固定ベルトの背面図である。
【図２】（Ａ）は図１のゴミ袋固定ベルトを装着した状態の正面側から見た斜視図、（Ｂ）は（Ａ）のゴミ袋固定ベルトを装着した状態の背面側から見た斜視図である。
【図３】図１のゴミ袋固定ベルトの応用例を示す正面図である。
【図４】図１のゴミ袋固定ベルトの他の応用例を示す拡大した縦断面部分図である。
【図５】（Ａ），（Ｂ），（Ｃ）は、装着した状態でゴミ袋の余り部分が大きくなる場合に本考案を装着する手順を示す縦断面図である。
【図６】本発明における変形例を示す正面図である。
【図７】従来例を示す斜視図である。
【図８】他の従来例を示す斜視図である。
【考案を実施するための形態】
【００１８】
以下に、図面を参照しながら本考案を実施するための形態を説明する。
【００１９】
図１（Ａ）は、本実施の形態であるゴミ袋固定ベルト１Ａの正面図、図（Ｂ）はその背面図を示している。このゴミ袋固定ベルト１Ａは、図２（Ａ）に示すように、ゴミ箱７にゴミ袋９を内装した状態でゴミ箱７開口部から折り返したゴミ袋９開口端側をゴミ箱７外周面に押さえつけるようにベルト本体１０を巻回して装着してゴミ袋９をゴミ箱７に固定するものとなっている。
【００２０】
そのベルト本体１０は、装着するゴミ箱７の装着位置の外周よりも接着代分以上長い帯状に樹脂シートを形成してなるものである。そして、そのベルト本体１０の一端側内側面に、面状の接着手段として両面接着テープ１１ｃ，１１ｄが並列して貼付されている点を特徴としており、ゴミ箱７外周面上に折り返したゴミ袋９開口端側の外周面に対し、ベルト本体１０の他端側から巻回して被覆することでベルト本体１０に重なった一端側を、図２（Ｂ）に示すように両面接着テープ１１ｃ，１１ｄで内側のベルト本体１０外周面に着脱自在な状態で固定されて装着されるようになっている。
【００２１】
本実施の形態のゴミ袋固定ベルト１Ａは、前述したように極めて簡易な構成であることから、低コストで提供しやすいものとなっている。そして、その両面接着テープ１１ｃ，１１ｄとしては、ベルト本体１０の内側面に貼付する面の接着力がその反対側の面の接着力よりも強いものを用いることが推奨される。それにより、両面接着テープ１１ｃ，１１ｄのベルト本体１０内側面に接着した面側が、ゴミ箱７に巻回した状態で内側のベルト本体１０外周面に接着した面側を着脱操作する際に剥がれにくいものとなる（反対側の面は着脱操作が容易に行えるレベルの接着力にする）。
【００２２】
また、本実施の形態では、ベルト本体１０他端側の内側面にも前述と同様に両面接着テープ１１ａ，１１ｂによる接着手段が設けられており、これらをゴミ袋９の開口端側の外周面又はゴミ箱７外周面に対し着脱自在に接着した状態から巻回を開始できるようになっている。そのため、いずれの端部側から巻回しても良くなることに加え、最初の段階でベルト本体１０の一部がゴミ袋９の一部又はゴミ箱７の外周面に接着・係止された状態となるため、巻回による装着作業が容易になるとともに、装着位置が使用中にずれにくくなるという特徴を有している。
【００２３】
一方、上述したベルト本体１０を構成する樹脂シートとしては、所定の伸縮性・密着性を備えた樹脂シートを用いものであるが、細かい独立気泡を有して長手方向及び厚さ方向に適度な弾性伸縮性を備えた発泡樹脂シートが好適であり、独立気泡を有することで密着性にも優れたものとなるため、装着しやすいことに加え装着位置からずれにくいものとなる。尚、その発泡樹脂シートとしては包装材として多用され比較的安価な０．５ｍｍ〜３．０ｍｍ厚の発泡ポリエチレンシートが最適であり、その伸縮性により極めて装着性に優れながら低廉なコストで作成・提供可能なものとなる。
【００２４】
図３は、上述したゴミ袋固定ベルト１Ａの応用例としてのゴミ袋固定ベルト１Ｂを示している。前述したゴミ袋固定ベルト１Ａは、発泡ポリエチレンシート等の発泡樹脂シートをベルト本体１０に用いることを想定したものであるが、表面が柔らかいことで画像や色彩を印刷で鮮明に表示しにくいという難点を有している。そこで、予め画像や色彩を印刷で鮮明に表示したシート１４を、ベルト本体１０の表面に貼付した構成としている。
【００２５】
これにより、ゴミ袋固定ベルト１Ｂは、意匠性に優れたものを作成しやすくなるとともに、色彩や模様、キャラクター等の画像に加え、鮮明な文字情報を容易に表示できるようになり、例えばゴミ箱に宣伝・アピール機能を効果的に賦与することも可能となる。尚、この表示シート１４自体が紙等の伸縮性に乏しいものであっても、伸縮性に富むベルト本体１０単独部分の長さが全長の３分の１程度を占めていれば、その部分の伸縮性により充分なる装着性を確保することができる。
【００２６】
図４は、上述したゴミ袋固定ベルト１Ａのベルト本体１０の表面総てを覆うように所定の機能性を賦与したシート１２を貼付した応用例としてのゴミ袋固定ベルト１Ｃを示している。この例では、ベルト本体１０の装着性を確保することを考慮して、シート１２自体にある程度の伸縮性を備えているものが好ましい。
【００２７】
そして、そのシート１２には、機能性を発揮させるための芳香剤又は制菌剤又は防臭剤のいずれか又はそれらの組み合わせにより付加されている点を特徴としている。これにより、ゴミ箱７に装着した使用状態で、その外周面を構成するシート１２から芳香作用又は制菌作用又は防臭作用を発揮するものとなり、例えば、芳香剤を使用した場合、和室において檜の香りを芳香させるなどすれば、そのゴミ箱を置いた部屋でリラックス効果やアロマテラピー効果を発揮させることができ、また防臭剤を使用した場合は、ゴミ箱内でゴミが悪臭を発するような場合に極めて有効である。
【００２８】
尚、図４に示したように、両面接着テープ１１ａ，１１ｂ，１１ｃ，１１ｄのベルト本体１０側に接着する面の反対側の面には、ゴミ箱７に装着する前の段階で剥離紙１１０を設けておくことにより、その取り扱いが容易なものとなる。また、このシート１２表面にも上述したゴミ袋固定ベルト１Ｂのような印刷を施すことができる。
【００２９】
さらに、前述したような機能賦与は、ゴミ袋固定ベルト１Ｂにもそのまま適用可能であることは言うまでも無く、この場合、そのシート１４の素材としては、繊維で構成されて伸縮性に乏しいものの機能性液剤を添付した状態でその空隙部分を介して機能性成分を拡散しやすい特性を有した紙材が好適である。加えて、図６に示すように、両端側に設けた両面接着テープから中央寄りに所定距離の間隔を置いた位置に各々両面接着テープを設ければ、ゴミ箱外周のサイズに合わせて適宜位置でカットすることにより、大のサイズａから中のサイズｂ、小のサイズｃへと、容易にサイズ変更できるようになる。
【００３０】
図５は、ゴミ袋固定ベルト１Ａを装着する手順の一例を示したものであり（他の例も同様）、使用するゴミ袋９が、レジ袋のように取手を含む部分が全長に対して大きく、ゴミ箱７に装着した状態でゴミ袋９の開口端側が大きく余るような場合の装着手順を示している。即ち、図２に示したようにゴミ袋９の開口端側が大きく余らない場合は、ゴミ袋固定ベルト１Ａを、折り返したゴミ袋９開口端側に被せるようにして巻くだけでよく、ベルト本体１０の下方に多少はみ出した部分は、ベルト本体１０の内側に収まるように下から押し込めばよい。
【００３１】
一方、ゴミ袋９の開口端側がゴミ箱７開口部から大きくはみ出して余るような場合は、図５（Ａ）のように、ゴミ袋９開口端側のゴミ箱７開口部からはみ出す量をゴミ袋固定ベルト１Ａで覆うことのできる幅となるように、その先端側をゴミ箱７内部に納めた状態で折り返してから、図（Ｂ）のように二重の状態ではみ出した部分を外側に折り返した後、図（Ｃ）のようにゴミ袋固定ベルト１Ａで巻回して固定すれば良い。
【００３２】
以上、述べたように、ゴミ箱にゴミ袋を固定するためのゴミ袋固定ベルトについて、本考案により、１つでも様々な形状・サイズのゴミ箱に対応可能であるとともに着脱作業が容易なものとして、低コストで提供できるようになった。
【符号の説明】
【００３３】
１Ａ，１Ｂ，１Ｃ  ゴミ袋固定ベルト、７  ゴミ箱、９  ゴミ袋、１０  ベルト本体、１１ａ，１１ｂ，１１ｃ，１１ｄ  両面接着テープ、１２，１４  シート
【図１】
0003206235.tif 000003
【図２】
0003206235.tif 000004
【図３】
0003206235.tif 000005
【図４】
0003206235.tif 000006
【図５】
0003206235.tif 000007
【図６】
0003206235.tif 000008
【図７】
0003206235.tif 000009
【図８】
0003206235.tif 000010